(57)【特許請求の範囲】
【請求項１】
本体ケース１の内部に、ディスク２が回転自在に収容されており、
本体ケース１の上下壁３・４には、それぞれの略中央部から前側壁５の方向にわたって信号読み書き用の窓孔６が開口されており、
本体ケース１の前側部に、前記窓孔６を開閉するシャッター７が上下壁３・４の各外表面上で左右方向に摺動自在に装着されており、
本体ケース１の左右の側壁１２・１２の前端寄り部位には、オートローディング用の凹部１１・１１がケース内方へ入り込み状に設けられており、
本体ケース１内の左右の各側壁１２と前側壁５とが交わるコーナーに、シャッター７を常に閉じ方向に移動付勢するねじりコイルばね１９が設けられているディスクカートリッジにおいて、
各ねじりコイルばね１９が、これの中間のコイル部１９ａの両端に長短の腕部１９ｂ・１９ｃを有し、
左右の各ねじりコイルばね１９は、中間のコイル部１９ａを自由状態に置いて短い側の腕部１９ｃの先端部が左右の各側壁１２の前記凹部１１の後方にそれぞれ固定され、長い側の腕部１９ｂの先端部がシャッター７側に係合されていて、シャッター７の開きに伴いコイル部１９ａを巻き込む方向に作用するように設置されており、
本体ケース１には、各ねじりコイルばね１９の短い側の前記腕部１９ｃがシャッター７の閉じ状態で前方へ移動するのを規制する規制部２５が、該腕部１９ｃの前側に位置するよう本体ケース１に設けられており、
前記規制部２５は、長い側の腕部１９ｂが前記側壁１２の内面に沿うよう最も縮小した状態時にも該腕部１９ｂに干渉しない位置にあることを特徴とするディスクカートリッジ。
【発明の詳細な説明】
【０００１】
【発明の属する技術分野】
本発明は、光ディスクや光磁気ディスク等の記録媒体であるディスクがハードケースに回転自在に収容されているディスクカートリッジに関する。
【０００２】
【従来の技術】
この種のディスクカートリッジに図７に示すようなものがある（例えば、特公平４−５９７０３号公報）。そこでは、ディスク２が収容される本体ケース１の上下面に、外部からディスク２に対して信号の読み書きが行えるように窓孔６が設けられ、この窓孔６が本体ケース１の前側に左右方向に摺動自在に装着したシャッター７により開閉されるものとなっている。
【０００３】
シャッター７はこれに当接したスライダー２０を備えており、このスライダー２０をシャッター７を閉じ方向へ付勢するねじりコイルばね１９を有する。このねじりコイルばね１９は、これのコイル部１９ａの両端に腕部１９ｂ・１９ｃを延設して、一方の腕部１９ｃを本体ケース１の左右側壁１２の内側の各前端寄り部位に係合固定し、他方の腕部１９ｂをスライダー２０に係合している。こうしたねじりコイルばね１９は、シャッター７が開くに伴いコイル部１９ａが巻き込む方向に作用するものとする。この理由のひとつはこの種のねじりコイルばね１９は冷間成形されるものが多く、加工による残留応力はこの場合にはシャッター７からの負荷による応力を軽減する方向に働くからであり、他のひとつの理由はそれとは反対方向に力が働く場合はねじりモーメントの腕の長さがコイル半径だけ大きくなって応力が大きくなるという不具合が生じるからである。
【０００４】
【発明が解決しようとする課題】
しかし、上記シャッター７が閉じ姿勢にある場合、ねじりコイルばね１９は落下衝撃や振動等によって、図中に破線で示すごとくコイル部１９ａが矢印Ｙで示す前方向へ移動することがある。ねじりコイルばね１９がそのように図中に破線で示すごとく移動すると、シャッター７のＸ方向の開きに伴いコイル部１９ａが拡開する方向に作用することになって前述したような不具合が生じる。
【０００５】
そこで本発明の目的は、シャッター付勢用のねじりコイルばねがコイル部を巻き込む方向に常に確実に作動するディスクカートリッジを提供するにある。
【０００６】
【課題を解決するための手段】
本発明のディスクカートリッジは、本体ケース１の内部に、ディスク２が回転自在に収容され、本体ケース１の上下壁３・４には、それぞれの略中央部から前側壁５の方向にわたって信号読み書き用の窓孔６が開口され、本体ケース１の前側部に、前記窓孔６を開閉するシャッター７が上下壁３・４の各外表面上で左右方向に摺動自在に装着される。そして、前記シャッター７と本体ケース１との間に、シャッター７を常に閉じ方向に移動付勢するねじりコイルばね１９が掛けられている。
【０００７】
かかるディスクカートリッジにおいて、本発明は、上記ねじりコイルばね１９が、これのコイル部１９ａの両端に腕部１９ｂ・１９ｃを有し、一方の腕部１９ｃが本体ケース１に固定され、他方の腕部１９ｂがシャッター７側に係合されてシャッター７の開きに伴いコイル部１９ａを巻き込む方向に作用するように設置されており、本体ケース１に固定された前記腕部１９ｃがシャッター７の閉じ状態で前方へ移動するのを規制する規制部２５を本体ケース１に設けていることを特徴とする。
【０００８】
【作用】
本体ケース１に設けた規制部２５は、シャッター７の閉じ状態において衝撃や振動により本体ケース１に固定された側のねじりコイルばね１９の腕部１９ｃが前方へ移動するのを規制するため、シャッター７の開きに伴いねじりコイルばね１９は常にコイル部１９ａを巻き込む方向に作用する。
【０００９】
【発明の実施の形態】
図１および図２において、ディスクカートリッジは、薄型四角形状の本体ケース１の内部に、上下両面に映像・音声・情報等の信号が記録される光ディスク等のディスク２を回転自在に収容する。本体ケース１はプラスチック製の上ケース１ａと下ケース１ｂとを突き合わせて一体的に結合してなる。上ケース１ａの上壁３および下ケース１ｂの下壁４には、それぞれの略中央部から前側壁５に向けて信号読み書き用の窓孔６を開口してあり、この窓孔６が左右方向に摺動するシャッター７で開閉自在に塞がれる。
【００１０】
図６は上ケース１ａおよび下ケース１ｂの前側壁５側の構造を示す。上ケース１ａは上壁３とこれの左右端に直角に連設した左右の側壁１２・１２とからなり、上壁３の略中央部から前端の左右方向中央部にわたって前記窓孔６が形成されており、上壁４の内面にディスク２の前方への遊動を規制するための位置規制リブ１４がディスク２の円周に沿う円弧状に一体に突設されている（図１参照）。上ケース１ａの左右の側壁１２・１２の前端寄り部位には、駆動装置に装填したとき、例えばオートローディングする時に該装置側の係合部材（図示せず）が係合することでディスクカートリッジを自動的に引き込むのに用いられる凹部１１がケース内方へ入り込み状に設けられている。
【００１１】
窓孔６の前方に対応する上壁３には、駆動装置側の信号読み書き用ヘッドが窓孔６に挿入するときのクリアランスを確保するために、図３に示すごとく上壁３の外表面３ａより低く落ち込む陥没壁部１５が一体に形成され、この陥没壁部１５に案内溝１６が左右方向全長にわたって形成されている。上壁３の内面の前端には、陥没壁部１５の案内溝１６より前方部位１５ａの左右両側方に一体に連続して案内レール１７が形成されている。図３に示すごとく陥没壁部１５の案内溝１６より後方部位には平らな凸部１５ｂを形成してある。
【００１２】
下ケース１ｂは上ケース１ａと対称に形成されて、上ケース１ａの窓孔６と正対する窓孔６と、下壁４の外表面４ａより低く落ち込むよう形成されて上ケース１ａの陥没壁部１５の下面側に重合する陥没壁部１５と、上ケース１ａの案内レール１７と正対する案内レール１７と、上ケース１ａ側の位置規制リブ１４の下端に突き合わされる位置規制リブ１４と、および上ケース１ａの凹部１１に連通する凹部１１とを有する。これら上下ケース１ａ・１ｂを突き合わせると、図３および図５に示すように、両ケース１ａ・１ｂの陥没壁部１５・１５の凸部１５ｂ・１５ｂどうしが重合して、陥没壁部１５・１５の前方部位１５ａ・１５ａ間と案内レール１７・１７間とに空隙Ｓが形成される。
【００１３】
図３および図６においてシャッター７は、金属板またはプラスチック材で断面コ字形状に形成してあり、上下壁３・４の各窓孔６を塞ぐ程度の大きさを持つ矩形状の上下板７ａ・７ｂと、これら上下板７ａ・７ｂの前端どうしをつなぐ背板７ｃとを有する。背板７ｃの内面から左右一対の抜止め爪１３・１３を一体に突設する。左右の抜止め爪１３・１３の各先端１３ａ・１３ａは互いに上下逆向きに設けている。シャッター７は、上下板７ａ・７ｂが上下壁３・４の各外面上に重合するとともに、左右の抜止め爪１３・１３の各先端１３ａが陥没壁部１５・１５の前方部位１５ａ・１５ａ間の空隙Ｓ内に差し込まれるように、本体ケース１にこれの前側方から押し込み嵌合することにより、左右の抜止め爪１３・１３の各先端１３ａが陥没壁部１５・１５の案内溝１６に係合し（図３参照）、以てシャッター７が本体ケース１から前方へ抜け出ない状態となる。
【００１４】
図１および図６に示すように、シャッター７を閉じ位置に移動付勢するばね部材として、左右２個のねじりコイルばね１９を用いる。この各ばね１９はこれの中間のコイル部１９ａの両端から長短の腕部１９ｂ・１９ｃを有する。また左右２個のスライダー２０を併用する。図１および図４に示すように、スライダー２０は工形に形成されて、上下の案内レール１７・１７間の空隙Ｓ内を摺動するウェブ２０ａと、上下の案内レール１７・１７の内外面を摺動する内外フランジ２０ｂ・２０ｃとを有し、そのうちウェブ２０ａと内フランジ２０ｂが外フランジ２０ｃよりも更に左右方向に長く形成され、この長いウェブ２０ａおよび内フランジ２０ｂがシャッター７の左右端の内部で且つ前記抜止め爪１３の左右方向外側に進入するようにしている。内フランジ２０ｂの外端面にはばね掛け溝２３を設ける。スライダー２０がこのようにウェブ２０ａおよび内フランジ２０ｂを長く形成することで安定良い摺動に必要かつ充分な左右方向長さを確保できるので、スライダー２０のシャッター７の外側にはみ出る部分は可及的に薄形化できてシャッター７を本体ケース１の左または右の側壁１２に近接するまで開けることができる。
【００１５】
他方、図１および図６に示すように、左右の各ねじりコイルばね１９は、中間のコイル部１９ａを自由状態に置いて短い側の腕部１９ｃの屈曲先端部を左右の側壁１２の凹部１１の後方に立設した左右のボス２４の穴２４ａにそれぞれ係入し、長い側の腕部１９ｂの屈曲先端部をスライダー２０のばね掛け溝２３に挿入係合する。これで左右の各スライダー２０はねじりコイルばね１９の作用で案内レール１７上を中央の陥没壁部１５の方向へ移動付勢されて、外フランジ２０ｃの内端面がシャッター７の左右端面に当接するか、またはウェブ２０ａおよび内フランジ２０ｂの内端面が抜止め爪１３の外端面に当接することにより、シャッター７は窓孔６を塞ぐ中央の閉じ位置に保持される。
【００１６】
かかるシャッター７の閉じ状態で、衝撃や振動によりねじりコイルばね１９の短い側の腕部１９ｃが前方へ移動できないように壁、リブ、ピンまたは突起などによる規制部２５が該腕部１９ｃの前側に位置するよう下壁４または上壁３に設けられる。但し、この規制部２５は、長い方の腕部１９ｂと干渉することのないように、その長さ、位置、高さを設定することは言うまでもない。図示例では、シャッター７側に固定された腕部１９ｂが側壁１２の内面に沿うよう最も縮小した状態時にも該腕部１９ｂに干渉しないようにリブからなる規制部２５が下壁４に側壁１２の内面から腕部１９ｃの前側に向けて延設されている。このように規制部２５を設けておけば、シャッター７の閉じ状態において衝撃や振動によりねじりコイルばね１９の腕部１９ｃが前方へ移動するようなことが無くなるため、シャッター７の開きに伴いねじりコイルばね１９は常にコイル部１９ａを巻き込む方向に作用することになる。従ってそれとは反対方向に力が働く場合に生じるような、ねじりモーメントの腕の長さがコイル半径だけ大きくなって応力が大きくなるという不具合を解消できるに至った。
【００１７】
このようにシャッター７を取り付けたディスクカートリッジは駆動装置に装填すると、該装置側の開閉操作部材（図示せず）がシャッター７に係合し、この係合作用によりシャッター７が窓孔６を塞ぐ中央の閉じ位置から左側壁１２または右側壁１２に近接するまでねじりコイルばね１９の力に抗し上下壁３・４の各外表面上を摺動するとともに、抜止め爪１３の先端１３ａが案内溝１６から出て引続き案内レール１７に係合状態で摺動し、以て窓孔６が全開する。その際、ねじりコイルばね１９は短い側の腕部１９ｃを凹部１１の後方に、長い側の腕部１９ｂをスライダー２０にそれぞれ係合してあるので、シャッター７を左側壁１２または右側壁１２の近くにまで移動させても、ねじりコイルばね１９は凹部１１と干渉することなく、両腕部１９ｂ・１９ｃが側壁１２の内面に沿うよう寄り合う状態に曲がり変形する。従って、ディスクカートリッジはこれ全体のコンパクト化を図るために、図示例のように本体ケース１の左右幅寸法とディスク２の直径寸法とが可及的に接近して設定され、窓孔６の左右開口幅およびシャッター７の左右幅寸法が本体ケース１の左右幅寸法のほぼ１／３近くにまで大きく設定されていても、ねじりコイルばね１９は本体ケース１内の左右の各側壁１２と前側壁５の交わる狭隘なコーナにコンパクトに収められるに至った。
【００１８】
シャッター７に加えた押す力を解除すると、このシャッター７はねじりコイルばね１９の付勢力をスライダー２０を介して受けることで元の中央の閉じ位置に自動的に復帰移動して停止する。
【００１９】
上記スライダー２０は省略して、ねじりコイルばね１９の腕部１９ｂは直接シャッター７に係合するものであってもよい。またねじりコイルばね１９の腕部１９ｂ・１９ｃは同じ長さに設定することもできる。
【００２０】
【発明の効果】
本発明によれば、シャッター７を閉じ付勢するためのねじりコイルばね１９は本体ケース１に固定する側の腕部１９ｃが前方へ移動するのを規制部２５で規制するものとした。従ってシャッター７の開きに伴いねじりコイルばね１９は常にコイル部１９ａを巻き込む方向に作用させることができ、シャッター７を常に安定よく開閉することができる。
【図面の簡単な説明】
【図１】ディスクカートリッジの前端一部の内部平面図である。
【図２】ディスクカートリッジ全体の平面図である。
【図３】図２におけるＡ−Ａ線拡大断面図である。
【図４】図２におけるＢ−Ｂ線拡大断面図である。
【図５】ディスクカートリッジの案内レール部の断面図である。
【図６】ディスクカートリッジの前端部にシャッターを取り付ける直前の状態を示す斜視図である。
【図７】従来例のディスクカートリッジを前端部を破断状態で示す平面図である。
【符号の説明】
１  本体ケース
１ａ  上ケース
１ｂ  下ケース
２  ディスク
３  上壁
４  下壁
５  前側壁
６  窓孔
７  シャッター
１２  側壁
１９  ねじりコイルばね
１９ａ  コイル部
１９ｂ・１９ｃ  腕部
２０  スライダー
２５  規制部
【図１】
0003952481.tif 000002
【図２】
0003952481.tif 000003
【図３】
0003952481.tif 000004
【図４】
0003952481.tif 000005
【図５】
0003952481.tif 000006
【図６】
0003952481.tif 000007
【図７】
0003952481.tif 000008